(57)【要約】      （修正有）【課題】板金素材等よりなる面板を用いて内部に中空部を有する軽量簡素な構造のパネル体を適切に構成する。【解決手段】一対の面板３４，４４を有する外板３と内板４を板厚方向に組み合わせて内部に中空部を有する箱体状のパネル体を構成するにあたり、外板３の面板３４に舌片６０を設けるとともに、内板４の面板４４における前記舌片６０の対応位置にスリット５０を設け、両面板３４、４４を組み合わせるに伴って、中空部内における舌片６０とスリット５０との間に、面板３４，４４間が板厚方向に広がる挙動を規制する離反規制部Ｙを構成する。【選択図】図２
2011212042.tif 000002
【特許請求の範囲】
【請求項１】
一対の面板を板厚方向に組み合わせて内部に中空部を有する箱体状に形成されるパネル体であって、
前記面板の一方に係り合い部を設けるとともに、前記面板の他方に前記係り合い部に対応する被係り合い部を設け、
両面板を組み合わせるに伴い若しくは組み合わせた状態において、前記中空部内における前記係り合い部と前記被係り合い部との間に、少なくとも面板間が板厚方向に広がる挙動を規制する離反規制部を構成してなることを特徴とするパネル体。
【請求項２】
前記離反規制部は、面板間が板厚方向に狭まる挙動を規制する接近規制部としても同時に機能するものである請求項１記載のパネル体。
【請求項３】
一方の面板に対して他方の面板を所定方向から近づけて組み付ける構造を備え、前記所定方向に沿って係り合い部と被係り合い部が板厚方向に係り合って前記離反規制部が構成されるようにしている請求項１又は２記載のパネル体。
【請求項４】
一方の面板に対して他方の面板を所定位置に配置するに伴い、前記係り合い部又は被係り合い部の一方が他方に弾性的に挿し込まれて前記離反規制部が構成されるようにしている請求項１又は２記載のパネル体。
【請求項５】
一方の面板に対して他方の面板を所定位置に配置する過程において、前記係り合い部又は被係り合い部の少なくとも一方が一時的に他方と干渉して弾性変形した後、復元した位置において前記離反規制部が構成されるようにしている請求項１又は２記載のパネル体。
【請求項６】
一方の面板に他方の面板を所定位置に組み付けることによって係り合い部と被係り合い部とを相対させ、これら係り合い部と被係り合い部に対して前記相対方向と直交する方向から接続部材をスライド係合させることによって前記離反規制部が構成されるようにしている請求項１又は２記載のパネル体。
【請求項７】
少なくとも何れかの面板には、当該面板を補強するための補強材が接合してあり、係り合い部又は被係り合い部の何れか一方若しくは双方は、対応する補強材の一部に構成されている請求項１〜６記載のパネル体。
【請求項８】
少なくとも一部の補強材は一方の面板と他方の面板の間に密接に介在して、面板間が板厚方向に狭まる挙動を規制する接近規制部を構成している請求項７記載のパネル体。
【請求項９】
接続部材は、一方の面板と他方の面板の間に密接に介在して、面板間が板厚方向に狭まる挙動を規制する接近規制部を構成している請求項６記載のパネル体。
【請求項１０】
請求項１〜８記載のパネル体を利用し、このパネル体に、天板取付部と背板取付部を少なくとも設けていることを特徴とする脚。
【請求項１１】
請求項１〜８記載のパネル体を利用し、このパネル体を少なくとも天板の幅方向一端部を支持する位置に配置して脚として用いていることを特徴とするデスク。
【発明の詳細な説明】
【技術分野】
【０００１】
本発明は、軽量簡素な構造であっても適切な機能を担保できるようにしたパネル体並びにこれを利用した脚及びデスクに関するものである。
【背景技術】
【０００２】
従来より、天板を支持する脚を板金素材を用いて構成したデスクが広く知られている（例えば特許文献１参照）。
【０００３】
このうち、特に脚をより軽量で簡素なものとするために、例えば図１２に示すように、一対の面板３ｚ、４ｚを板厚方向に組み合わせることによって内部を空洞にしておくことが、一つの有効な構造として考えられる。
【０００４】
このように構成する場合、面板３ｚ、４ｚにべこ付き等が生じることを回避するために、一方の面板４ｚに補強材５ｚを溶接等による接合部５ｚｘを介して接合し、この補強材５ｚを、面板３ｚ、４ｚ同士を突き合わせた際に他方の面板３ｚとの間に密接に介在させておくことが通常採用され得る常套手段である。
【先行技術文献】
【特許文献】
【０００５】
【特許文献１】特開２０００−１５２８２７号公報
【発明の概要】
【発明が解決しようとする課題】
【０００６】
しかしながら、このような構造においては、補強材５ｚは他方の面板３ｚに接触しているだけであるため、外部から衝撃が加わって面板３ｚ、４ｚや補強材５ｚが振動すると、溶接を施していない他方の面板３ｚと補強材５ｚとの間に接触音が生じて、パネル体である脚としての機能や使用感の低下を招くこととなる。さりとて、他方の面板３ｚと補強材５ｚとを外部からねじ止めすると、外観の毀損を招くことになる。
【０００７】
また、このような補強材の有無は別にして、各面板３ｚ、４ｚに当該面板間が広がる方向の挙動が生じる場合に、パネル体としての機能や使用感を確保するためにそれを防止する構造を採用したい場合がある。このような場合に、面板３ｚ、４ｚの外部に面板間の広がりを防止する規制構造をパネル体の外側に構成すると、パネル体である脚としての機能や外観の毀損を招くほか、工数の増加等にもつながることとなる。
【０００８】
本発明は、このような課題に着目してなされたものであって、板金素材等よりなる面板を用いて内部に中空部を有する軽量簡素な構造のパネル体を適切に構成可能とし、脚やデスクを始めとして広く一般に適用可能にすることを目的としている。
【課題を解決するための手段】
【０００９】
本発明は、かかる目的を達成するために、次のような手段を講じたものである。
【００１０】
すなわち、本発明のパネル体は、一対の面板を板厚方向に組み合わせて内部に中空部を有する箱体状に形成されるものであって、前記面板の一方に係り合い部を設けるとともに、前記面板の他方に前記係り合い部に対応する被係り合い部を設け、両面板を組み合わせるに伴い若しくは組み合わせた状態において、前記中空部内における前記係り合い部と前記被係り合い部との間に、少なくとも面板間が板厚方向に広がる挙動を規制する離反規制部を構成してなることを特徴とする。
【００１１】
このように構成すれば、外部から視認されないパネル体の中空部内に離反規制部を導入することができるので、外観の毀損を招くことなく、面板が板厚方向に広がることを適切に防止して使用感の確保とともにパネル体としての機能を担保することが可能となる。
【００１２】
面板が板厚方向に広がることをも防止するためには、前記離反規制部が、面板間が板厚方向に狭まる挙動を規制する接近規制部としても同時に機能するように構成されていることが望ましい。
【００１３】
面板同士を組み付けて接近規制部を適切に構成するための具体的な構造としては、以下のような態様が挙げられる。
【００１４】
一方の面板に対して他方の面板を所定方向から近づけて組み付ける構造を備え、前記所定方向に沿って係り合い部と被係り合い部が板厚方向に係り合って前記離反規制部が構成されるようにしているもの。この場合の所定方向としては、面板同士の対面方向に対して水平方向に角度をもった方向や、対面方向と直交する方向などが挙げられる。
【００１５】
一方の面板に対して他方の面板を所定位置に配置するに伴い、前記係り合い部又は被係り合い部の一方が他方に弾性的に挿し込まれて前記離反規制部が構成されるようにしているもの。
【００１６】
一方の面板に対して他方の面板を所定位置に配置する過程において、前記係り合い部又は被係り合い部の少なくとも一方が一時的に他方と干渉して弾性変形した後、復元した位置において前記離反規制部が構成されるようにしているもの。
【００１７】
一方の面板に他方の面板を所定位置に組み付けることによって係り合い部と被係り合い部とを相対させ、これら係り合い部と被係り合い部に対して前記相対方向と直交する方向から接続部材をスライド係合させることによって前記離反規制部が構成されるようにしているもの。
【００１８】
以上において、少なくとも何れかの面板に当該面板を補強するための補強材が接合してある場合に、本発明を簡単に実現するためには、係り合い部又は被係り合い部の何れか一方若しくは双方を対応する補強材の一部に構成することが望ましい。
【００１９】
特に、外部からの衝撃に対し面板が振動して補強材との間に接触音が発生することを防止しつつ、パネル体の機能を高めるためには、少なくとも一部の補強材は一方の面板と他方の面板の間に密接に介在して、面板間が板厚方向に狭まる挙動を規制する接近規制部を併設しているものが有効である。
【００２０】
接続部材を採用する場合には、一方の面板と他方の面板の間に密接に介在して、面板間が板厚方向に狭まる挙動を規制する接近規制部を構成しておくことが効果的である。
【００２１】
そして、以上のパネル体を利用し、このパネル体に、天板取付部と背板取付部を少なくとも設ければ、品質の低下を招くことなく、軽量簡素で材料コストの削減を図った脚を有効に実現することができる。
【００２２】
また、以上のパネル体を利用し、このパネル体を少なくとも天板の幅方向一端部を支持する位置に配置して脚として用いれば、下肢空間で着座者の足が脚に接触したり、脚に接近した通行人の体が脚に接触する度に衝突音を発生することが防止されるため、品質の低下を招くことなく軽量簡素で材料コストの削減を図ったデスクを有効に実現することが可能となる。
【発明の効果】
【００２３】
本発明は、以上説明した構成であるから、板金素材等よりなる面板を用いて内部に空洞部を有するパネル体を構成するにあたり、軽量簡素であっても外観の毀損や工数の増加を招かずに適切な機能を確保できるようにした、新たな構造のパネル体並びにこれを利用した脚及びデスクを提供することが可能となる。
【図面の簡単な説明】
【００２４】
【図１】本発明の一実施形態に係るパネル体を用いた脚を有するデスクを示す斜視図。
【図２】同パネル体を用いた脚の分解斜視図。
【図３】同脚の中空部内の構造を示す斜視図。
【図４】図３に対応した模式的な平断面図。
【図５】同脚の組み付け手順を示す図。
【図６】本発明の他の実施形態を示す模式的な図。
【図７】本発明の更に他の実施形態を示す模式的な図。
【図８】本発明の上記以外の実施形態を示す模式的な図。
【図９】本発明の上記以外の実施形態を示す模式的な図。
【図１０】本発明の上記以外の実施形態を示す模式的な図。
【図１１】本発明の上記以外の実施形態を示す模式的な図。
【図１２】本発明と対比される構造を示す模式的な図。
【発明を実施するための形態】
【００２５】
以下、本発明の一実施形態を、図面を参照して説明する。
【００２６】
図１に示すように、この実施形態のパネル体Ａ２は、デスクＡを構成する脚１に適用される。このデスクＡは、天板Ａ１の左右両端部Ａ１ａ、Ａ１ｂをそれぞれ脚１に支持させ、脚１の背面を背板２で連結して、自立可能なデスクＡを構成しているものである。
【００２７】
図２から図５に示すように、脚１は、板金素材を用いたもので、内側に凹所３３を有するように塑性変形加工された外板３と、その凹所３３に緊密に嵌り合うように塑性変形加工された内板４とを突き合わせて、内部に中空部１ａを有する扁平な箱状のパネル体Ａ２として構成される。
【００２８】
外板３は、面板３４の前後を内向きに開く概略コの字形に折り曲げ、その折り曲げ端に更に面板３４と平行をなす折り曲げ片３１、３２を形成したもので、前後の折り曲げ片３１、３２の間に、内板４を嵌め込むための凹所３３を開口させている。
【００２９】
内板４は、面板４４の前後をほぼ外向きに開く概略コの字形に折り曲げ、その折り曲げ端に更に面板４４と平行をなす折り曲げ片４１、４２を形成したもので、これらの折り曲げ片４１，４２を外板の折り曲げ片３１，３２間の凹所３３に緊密に嵌め込むことによって、外板３の面板３４と内板４の面板４４とを略平行に対面させ、かつ、内板４の面板４４を外板３の折り曲げ片３１，３２に略面一に隣接させるようにしている。
【００３０】
内板４の外面における面板４４の中心近傍には、面強度を高めるために、図２〜図４に示すように、基端片５１から本体部５２を経て先端片５３までの間が概略Ｚ形に形成された第１補強材５が、当該基端片５１を溶接等による接合部５ｘを介して内板４の面板４４に上下に延びる姿勢で接合されている。基端片５１から先端片５３までの寸法５ｂは、外板３と内板４を組み付けることによって構成される中空部１ａの内寸１ｂとほぼ等しくなるように設定してある。
【００３１】
本実施形態の好適な取付手順としては、外板３の凹所３３に対して内板４を、図５（ａ）に示すように斜め方向（Ｌ方向）に沿って近づけ、図２に示した内板４の前側の折り曲げ片４１を外板３の前側の折り曲げ片３１の内側に先に嵌め込んだ後、図５（ｂ）に矢印Ｔで示すように内板４の後側を板厚方向に押圧することで、図２に示した内板４の後側の折り曲げ片４２を外板３の後側の折り曲げ片３２の内側に緊密に嵌め込むことが好適な一例として挙げられる。かかる組み付け状態において、第１補強材５は、先端片５３が外板３の面板３４に突き当たることにより外板３と内板４の間に緊密に介在して、面板３、４間が板厚方向（Ｄ方向）に狭まる挙動を規制する接近規制部Ｘを構成している。
【００３２】
このような構成に加えて、本実施形態はさらに、外板３の面板３４に面強度を高めるための第２補強材６を備えている。
【００３３】
この第２補強材６は、基端片６１から本体部６２を経て先端片６３までの間が概略Ｚ形に形成されたもので、その基端片６１を溶接等による接合部６ｘを介して外板３の面板３４に上下に延びる姿勢で接合されている。基端片６１から先端片６３までの寸法６ｂは、外板３と内板４で構成される中空部１ａの内寸１ｂの略半分程度となるように設定されている。
【００３４】
そして、上記の外板３及び内板４の両面板３４、４４が板厚方向Ｄ（Ｄ方向）に広がる挙動を規制すべく、図２等に示すように第２補強材６の先端片６３に面板３４に沿って延びる係り合い部たる舌片６０を一体に設けるとともに、第１補強材５の本体部５２における前記舌片６０に相対する位置に被係り合い部たるスリット５０を設け、これら舌片６０とスリット５０とを係り合わせることによって離反規制部Ｙを構成するようにしている。舌片６０とスリット５０の位置関係は、内板４を外板３の凹所３３に図５に示した斜め方向（Ｌ方向）に沿って差し込む際に、舌片６０が前記斜め方向（Ｌ方向）に沿ってスリット５０へ係わり合い得るように、スリット５０および舌片６０の相対位置や寸法関係等が設定されている。
【００３５】
この離反規制部Ｙを構成する舌片６０は、外板３と内板４が離反する挙動時にスリット５０の開口縁に係合して離反動作を規制するものであるが、同時に、外板３と内板４が接近する挙動時にもスリット５０の反対側の開口縁に係合して接近動作を規制するため、接近規制部としての機能も担うものとなっている。
【００３６】
なお、図１及び図２に示すようにこのパネル体Ａ２を脚１として用いるために、内板４の上端側には天板取付部４５が折り曲げて形成してあり、外板３の上端側には、折線３８ｘに沿って折り曲げることにより天板支持面となる折り曲げしろ３８が設けてある。また、外板３の下端側には、折線３９ｘに沿って折り曲げることによりアジャスタ取付部となる折り曲げしろ３９が設けられ、外板３の後側の折り曲げ片３２には、背板２を取り付けるための背板取付部３５が切り起こして設けてある。
【００３７】
以上のように本実施形態は、一対の面板３４，４４を有する外板３と内板４を板厚方向に組み合わせて内部に中空部１ａを有する箱体状のパネル体Ａ２を構成するにあたり、外板３の面板３４に係り合い部たる舌片６０を設けるとともに、内板４の面板４４における前記舌片６０の対応位置に被係り合い部たるスリット５０を設け、両面板３４、４４を組み合わせるに伴って、前記中空部１ａ内における舌片６０とスリット５０との間に、面板３４，４４間が板厚方向に広がる挙動を規制する離反規制部Ｙを構成するようにしている。このため、外部から視認されないパネル体２Ａの中空部２ａ内に当該離反規制部Ｙを有効に構成することができ、外観の毀損を招くことなく、面板３４，４４が板厚方向に広がることを適切に防止して、パネル体２Ａとしての機能を有効に担保することができる。その係り合い構造も、係り合い部である舌片６０と被係り合い部であるスリット５０との部材同士の直接的な係り合いであるため、面板３，４同士を突き合わせる際に補強材５の先端と面板３との間を接着等によって接続する場合に比べて、長期に亘り安定した効果を持続することができ、メンテナンス時の分解等にも対応することが容易となる。
【００３８】
特に、かかる離反規制部Ｙは、面板３４，４４間が板厚方向に狭まる挙動を規制する接近規制部としても同時に機能するため、面板３４，４４が板厚方向に広がることを防止する離反規制部としての機能と相まって、簡素な中空構造であってもパネル体２Ａを変形し難いものにすることができ、その機能や使用感を無理なく有効に高めることができる。
【００３９】
また、外板３の面板３４に対して内板４の面板４４を斜め方向（Ｌ方向）から近づけることで好適に組み付け得る構造を備え、前記斜め方向（Ｌ方向）に沿って舌片６０とスリット５０が板厚方向に係り合って離反規制部Ｙが構成されるようにしており、外板３の面板３４に内板４の面板４４を組み付ける動作と、舌片６０をスリット５０に係り合わせる動作とが合致するので、何ら工数を増やすことなく、パネルの組み立てに伴って中空部１ａ内に有効な離反規制部Ｙを構成することができる。
【００４０】
さらに、面板３４、４４には、当該面板３４，４４を補強するための補強材６，５が接合してあり、離反規制部Ｙを構成するための舌片６０およびスリット５０をそれらの補強材６，５の一部に構成しているので、別途新たに係り合いのための部材を導入することが不要であり、簡素な構造で本発明を実現することができる。
【００４１】
特に、第１補強材５３については、面板４４，３４間に密接に介在して面板４４、３４間が板厚方向に狭まる挙動を規制する接近規制部Ｘを構成しており、パネル体Ａ２のべこつき防止効果を高めているものであるが、単に先端片５３を面板３４に突き当てているのではなく、離反規制部Ｙと協働して面板３４の振動を抑止するようにしているので、外部からの衝撃に対し面板３４が補強材５３と接触して接触音が発生することを防止して、パネル体全体の品質を有効に向上させることができる。
【００４２】
そして、本実施形態はこのようなパネル体Ａ２に天板取付部４５や背板取付部３５等を設けているので、品質の低下を招くことなく軽量簡素で材料コストの削減を図った脚１を有効に実現することができる。
【００４３】
さらに、本実施形態はこのようなパネル体Ａ２を天板Ａ１の幅方向端部Ａ１ｂを支持する位置に配置して脚１として用いており、下肢空間で着座者の足が脚１に接触したり、脚１に接近した通行人の体が脚に接触する度に衝突音を発生することが防止されるため、品質の低下を招くことなく軽量簡素で材料コストの削減を図ったデスクＡを有効に実現することが可能となる。
【００４４】
なお、各部の具体的な構成は、上述した実施形態のみに限定されるものではない。
【００４５】
例えば、組み付けに伴って中空部内に離反規制部を構成する他の構造としては、図６（ａ）に示すように、補強材１０６の基端片１６１を一方の面板１０３に接合し、その基端片１６１から立ち上がった本体部１６２の先端における長手方向の複数箇所を切り起こして隣接位置にある切り起こされていない部分との間に被係り合い部たる挟持部１６０を構成する一方、補強材１０５の基端片１５１を他方の面板１０４に接合し、その基端片１５１から立ち上がった本体部１５２の先端を係り合い部たる挿し込み片１５０として、面板１０３、１０４同士を同図（ｂ）に示すように所定間隔で配置するに伴って挿し込み片１５０を挟持部１６０に弾性的に挿し込み、これにより面板１０３、１０４同士の離反動作を規制する離反規制部Ｙを構成してもよい。この離反規制部Ｙは、同時に面板１０３、１０４同士の接近動作を接近する接近規制部の役割を兼ねるものである。
【００４６】
このように構成しても、一方の面板１０３に対して他方の面板１０４を所定位置に配置するだけでよいため、何ら工数を増やすことなく、パネル体の組み立てに伴って中空部１０１ａ内に有効な離反規制部Ｙを構成することができる。
【００４７】
或いは、図７に示すように、補強材２０６の基端片２６１を一方の面板２０３に接合し、その基端片２６１から立ち上がった本体部２６２にスリット等の被係り合い部２６０を設けるとともに、補強材２０５の基端片２５１を他方の面板２０４に接合し、その基端片２５１から立ち上がった本体部２５２の先端に前記スリット２６０に弾性係合可能な爪状の係り合い部２５０を形成して、同図想像線及び矢印で示すように面板２０３、２０４同士を所定位置に配置する過程において、前記係り合い部２５０が一時的に被係り合い部２６０が設けられた補強材２０６の本体部２６２と干渉して適宜部位が弾性変形した後、復元した位置において係り合い部２５０が被係り合い部２６０に係わって接近規制部の機能を備えた離反規制部Ｙを構成するようにしてもよい。このようにしても、簡単にパネル体の機能を向上させることができる。この場合の補強材２０６も、面板２０３、２０４間に緊密に介在して別途に接近規制部Ｘを構成している態様が有効である。
【００４８】
一方、組み付けた後に中空部内に離反規制部を構成する構造としては、図８に示すように、一方の面板３０３と他方の面板３０４に、補強材３０６、３０５等を利用して被係り合い部３６０と係り合い部３５０を形成し、両面板３０３、３０４を所定位置に組み付けることによって被係り合い部３６０と係り合い部３５０とを相反する方向に相対させた状態で、これら被係り合い部３６０と係り合い部３５０に対して前記相対方向と直交する方向（紙面垂直方向）から接続部材３００の両端部３００ａをスライド係合させることによって、被係り合い部３６０と係り合い部３５０の離反動作を接続部材３００により規制して離反規制部Ｙを構成してもよい。このような手順は、面板同士を対面して組み付けた際に対面方向と直交する方向、すなわち、図２に示す脚１の上端側や下端側に中空部１ａを開放しておけば実現可能であるので、工数は若干増えるものの、中空部１ａ内にガタのない確実な離反規制部Ｙを構成することができる。
【００４９】
特に、かかる接続部材３００を一方の面板３０３と他方の面板３０４の間に密接に介在させれば、両面板３０３、３０４間が板厚方向に狭まる挙動を規制する接近規制部としても同時に機能することになり、一層有効となる。
【００５０】
さらに、図９に示すように、一方の面板４０３と他方の面板４０４の間で係り合い部４６０と被係り合い部４５０を係り合わせて、この部位のみで接近規制部としての機能を兼ね備えた離反規制部Ｙを構成し、補強材を接近規制部として用いなくてもよいし、図１０に示すように、一方の面板５０３と他方の面板５０４の間に離反動作のみを規制する離反規制部Ｙと接近動作のみを規制する接近規制部Ｘとを別個に構成するようにしてもよい。さらにまた、面板同士の広がりだけを防止する必要がある場合には、図１１に示すように、一方の面板６０３と他方の面板６０４の間に離反動作のみを規制する離反規制部Ｙを設けておくだけの構成も簡素で効果的である。
【００５１】
これら図１０及び図１１に示す構造のもの等は、一方の面板５０３、６０３に対して他方の面板５０４、６０４を対面方向と直交する紙面垂直方向から近づけて組み付けても、離反規制部Ｙや接近規制部Ｘを構成することができる。
【００５２】
その他の構成も、本発明の趣旨を逸脱しない範囲で種々変形が可能である。
【符号の説明】
【００５３】
１…脚
３…面板
３ａ…中空部
４…面板
５…第１補強材
６…第２補強材
３３…凹所
３５…背板取付部
４５…天板取付部
５０…被係り合い部（スリット）
６０…係り合い部（舌片）
Ａ…デスク
Ａ１ａ、Ａ１ｂ…幅方向の端部
Ａ２…パネル体
Ｄ…板厚方向
Ｌ…斜め方向
Ｘ…接近規制部
Ｙ…離反規制部
【図１】
2011212042.tif 000003
【図２】
2011212042.tif 000004
【図３】
2011212042.tif 000005
【図４】
2011212042.tif 000006
【図５】
2011212042.tif 000007
【図６】
2011212042.tif 000008
【図７】
2011212042.tif 000009
【図８】
2011212042.tif 000010
【図９】
2011212042.tif 000011
【図１０】
2011212042.tif 000012
【図１１】
2011212042.tif 000013
【図１２】
2011212042.tif 000014